(57)【要約】【課題】設置、撤去が容易で、汎用性に優れたガードマンボックスを提供する。【解決手段】屋外の所定位置で業務を行う者が入り、この者の防寒・防風雨対策を図るためのガードマンボックスＡであって、段ボール製であるとともに、筒状に形成されたボックス本体部１と、ボックス本体部１の下端から外側に折り曲げて延設され、ボックス本体部１を立設して保持するための複数の支持脚部２とを備え、且つ、ボックス本体部１は、前面となる側面に開口形成された開口部５を備えるとともに、一部の側面部を上下方向に延びる回動軸部６を中心に回動可能な扉状に形成する。【選択図】図１
2020076225.tif 000002
【特許請求の範囲】
【請求項１】
屋外の所定位置で業務を行う者が入り、この者の防寒・防風雨対策を図るためのガードマンボックスであって、
段ボール製であるとともに、
筒状に形成されたボックス本体部と、
前記ボックス本体部の下端から外側に折り曲げて延設され、前記ボックス本体部を立設して保持するための複数の支持脚部とを備えており、
且つ、前記ボックス本体部が、前面となる側面に開口形成された開口部を備えるとともに、一部の側面部が上下方向に延びる回動軸部を中心に回動可能な扉状に形成されていることを特徴とするガードマンボックス。
【請求項２】
請求項１記載のガードマンボックスにおいて、
前記ボックス本体部の上端の開口を被覆して閉塞するように着脱可能に取り付けられる屋根部を備えることを特徴とするガードマンボックス。
【発明の詳細な説明】
【技術分野】
【０００１】
本発明は、例えば、工事現場のガードマンなどが入って防寒を図ったり、風雨などを凌ぐためのガードマンボックスに関する。
【背景技術】
【０００２】
周知の通り、建設工事現場などでは、歩行者、自動車（運転者）などの安全を確保するために出入口等にガードマン、交通誘導員等を配置して作業を行うようにしている。
【０００３】
冬期の工事や寒冷地での工事では、ガードマンや交通誘導員が屋外での長時間にわたる業務を行うことになり、一般に、防寒服を着用して寒さ対策を講じている。
【０００４】
一方、防寒服を着用しても十分な防寒効果を得られないケースもあり、ガードマンボックスを設置し、その中に入って業務を行うケースもある（例えば、特許文献１参照）。
【先行技術文献】
【特許文献】
【０００５】
【特許文献１】特開２０１２−０９７４１１号公報
【発明の概要】
【発明が解決しようとする課題】
【０００６】
しかしながら、従来のガードマンボックスは、防寒効果が非常に高い反面、設置・撤去が容易でなく、必要な時に必要な場所で使うことが難しい。また、ガードマンボックスを設置する場所が十分確保できないケースもある。
【０００７】
本発明は、上記事情に鑑み、設置、撤去が容易で、汎用性に優れたガードマンボックスを提供することを目的とする。
【課題を解決するための手段】
【０００８】
上記の目的を達するために、この発明は以下の手段を提供している。
【０００９】
本発明に係るガードマンボックスは、屋外の所定位置で業務を行う者が入り、この者の防寒・防風雨対策を図るためのガードマンボックスであって、段ボール製であるとともに、筒状に形成されたボックス本体部と、前記ボックス本体部の下端から外側に折り曲げて延設され、前記ボックス本体部を立設して保持するための複数の支持脚部とを備えており、且つ、前記ボックス本体部が、前面となる側面に開口形成された開口部を備えるとともに、一部の側面部が上下方向に延びる回動軸部を中心に回動可能な扉状に形成されていることを特徴とする。
【００１０】
また、本発明に係るガードマンボックスにおいて、前記ボックス本体部の上端の開口を被覆して閉塞するように着脱可能に取り付けられる屋根部を備えていてもよい。
【発明の効果】
【００１１】
本発明のガードマンボックスにおいては、断熱効果のある防寒ボックスを、軽量・携帯可能に製作することができる。そして、軽量、省スペースのため、設置が容易であり、使用範囲が広く、また、使用後は、再利用可能であり、環境にやさしく、廃棄費用も不要であり、汎用性に優れたガードマンボックスを実現することが可能になる。
【図面の簡単な説明】
【００１２】
【図１】本発明の一実施形態に係るガードマンボックスを示す正面図である。
【図２】本発明の一実施形態に係るガードマンボックスを示す背面図である。
【図３】本発明の一実施形態に係るガードマンボックスの屋根部を示す図である。
【図４】本発明の一実施形態に係るガードマンボックスの扉部を示す図であり、扉を閉じた状態を示す図である。
【図５】本発明の一実施形態に係るガードマンボックスの扉部を示す図であり、扉を開いた状態を示す図である。
【図６】本発明の一実施形態に係るガードマンボックスの扉部の回動軸の一例を示す図である。
【図７】本発明の一実施形態に係るガードマンボックスを示す図であり、扉を開いた状態を示す平面図である。
【図８】本発明の一実施形態に係るガードマンボックスの変更例を示す図である。
【発明を実施するための形態】
【００１３】
以下、図１から図７を参照し、本発明の一実施形態に係るガードマンボックスについて説明する。
【００１４】
本実施形態のガードマンボックスは、冬期の工事や寒冷地での工事におけるガードマンや交通誘導員の防寒対策や、風雨などを凌ぐための防風雨対策に用いて好適なボックスに関するものである。すなわち、本発明における「ガードマンボックス」は、カードマンや交通誘導員など、屋外の所定位置で長時間業務を行う者が入り、この者の防寒・防風雨対策を図るためのボックスを示すものであり、その適用対象をガードマンに限定する必要はない。
【００１５】
具体的に、本実施形態のガードマンボックスＡは、図１から図３に示すように、段ボールを用いて製作可能なものであり、筒状のボックス本体部１と、ボックス本体部１の下端から外側に折り曲げて延設され、ボックス本体部１を立設して保持するための複数の支持脚部２と、ボックス本体部１の上端の開口を被覆して閉塞するように着脱可能に取り付けられる屋根部３とを備えて構成されている。段ボールは、ライナーに耐水加工を施した耐水ライナーを用いることで、防湿効果をもたらすこともできる。
【００１６】
本実施形態のボックス本体部１は、例えば、五角形、六角形などの多角筒状に形成されている。これにより、ガードマンボックス本体が倒れにくくなっている。また、ガードマンボックスＡの前面となる一部の側面に上端から下端側に向けて凹み、中に入ったガードマンが外側を十分に臨めるように開口する開口部５が形成されている。
【００１７】
さらに、図１、図４、図５、図７に示すように、一部の側面は、上下方向に延びる角部（回動軸部６）を中心に回動可能な扉部７を備えて形成され、マジックテープ（登録商標）などを用いて固定／回動可能に構成されている。これにより、この扉部７を開閉することで容易にガードマンがボックス内外に出入りすることができる。なお、本実施形態の回動軸部６は、図６に示すように、段ボールを表面側から切り取って凹状（凹部８）にするなど、他の部分よりも段ボールを薄肉に形成して回動可能に形成されている。
【００１８】
屋根部３は、図１、図２、図３に示すように、ボックス本体部１の多角形状、その面積に合わせて多角状に形成され、ボックス本体部１の上端開口部を閉塞するように配設される多角平板状の天板部３ａと、天板部３ａの外周辺部にそれぞれ直角に下方に折り曲げられて設けられた嵌合固定部３ｂとを備えて形成されている。
【００１９】
屋根部３は、嵌合固定部３ｂで囲まれた内部にボックス本体部１の上端部を嵌合させてボックス本体部１の上端部に取り付けられ、嵌合固定部３ｂでこの状態を保持するとともに天板部３ａでボックス本体部１の上端開口を塞ぐように取り付けられる。
【００２０】
また、ボックス本体部１の上端部側と屋根部３の嵌合固定部３ｂは、複数のメタルジョイント、ファスナーなどを用いて着脱可能に固定されている。
【００２１】
上記構成からなる本実施形態のガードマンボックスＡにおいては、ボックス本体部１（支持脚部２含む）、屋根部３が平板状の段ボールを折り曲げ、適宜箇所を固着することによって組立て形成することができる。また、ボックス本体部１、屋根部３となる所定の大きさ、所定の形状で形成された段ボールは、折り畳んで運搬することができる。
【００２２】
そして、組立てたボックス本体部１に屋根部３を嵌合して立設し、所定位置に配置した状態でボックス本体部１の下端から外側に突出した支持脚部３に重しを載せるなどし、容易に設置することができる。
【００２３】
したがって、本実施形態のガードマンボックスＡにおいては、断熱効果のある防寒ボックスを、軽量・携帯可能に製作することができる。そして、軽量、省スペースのため、設置が容易であり、使用範囲が広く、また、使用後は、再利用可能であり、環境にやさしく、廃棄費用も不要である。
【００２４】
よって、本実施形態のガードマンボックスＡによれば、従来と比較し、設置、撤去が容易で、汎用性に優れたガードマンボックスＡを実現することが可能になる。
【００２５】
以上、本発明に係るガードマンボックスの一実施形態について説明したが、本発明は上記の実施形態に限定されるものではなく、その趣旨を逸脱しない範囲で適宜変更可能である。
【００２６】
例えば、本実施形態では、本発明に係るガードマンボックスＡが屋根部３を備えるものとして説明を行ったが、図８に示すように、屋根部を備えずに構成してもよい。
【００２７】
また、図７（及び図１）に示すように、ボックス本体部１の背面側に段ボールを折り曲げて形成されるジョイント部１ａを設け、開口部５を形成する背面側のボックス上部１ｂとボックス下部１ｃとを着脱可能／分離可能に形成してもよい。この場合には、現地でボックス下部１ｃにボックス上部１ｂを取り付けてボックス本体部１を形成できるため、本実施形態よりもさらに運搬性、取扱性、汎用性を向上させることができる。
【００２８】
さらに、ボックス本体部１の側部の複数個所にロープなどの支持線材の一端を取り付けるための定着部を設けて構成してもよい。この場合には、例えば、ガードマンボックスＡの外側の地面に打ち込んだペグなどに他端を、定着部に一端を結び付けるなどして支持線材を取り付けることにより、ガードマンボックスＡを支持脚部２だけでなく支持線材によって支持でき、より安定した状態でガードマンボックスＡを設置することが可能になる。これにより、ガードマンボックスＡが段ボール製で軽量であっても強風などよって倒れることを確実に防止できる。
【符号の説明】
【００２９】
１    ボックス本体部
１ａ  ジョイント部
１ｂ  ボックス上部
１ｃ  ボックス下部
２    支持脚部
３    屋根部
３ａ  天板部
３ｂ  嵌合固定部
５    開口部
６    回動軸部
７    扉部
８    凹部
Ａ    ガードマンボックス
【図１】
2020076225.tif 000003
【図２】
2020076225.tif 000004
【図３】
2020076225.tif 000005
【図４】
2020076225.tif 000006
【図５】
2020076225.tif 000007
【図６】
2020076225.tif 000008
【図７】
2020076225.tif 000009
【図８】
2020076225.tif 000010